(57)【特許請求の範囲】
【請求項１】
栄養素を保存液に添加する切り花の保存装置であって、栄養素のために支持体が設けられ、この支持体から栄養素が保存液に直接入り込むことができる、装置において、装置が花束と一緒に結束可能であり、この花束と結束され得る装置を保存液につけて始めて栄養素がこの保存液に放出可能であり、茎状、葉柄状、柄状またはステー状に形成された支持体（１）が、特に液状、粉末状または固体の形の栄養素を収容および放出するための容器（２）を備え、この容器の壁の少なくとも一部範囲が、液体、およびこの液体内に溶解された栄養素に関して透過性であることを特徴とする装置。
【請求項２】
栄養素容器（２）が茎状、葉柄状、柄状またはステー状の支持体（１）に取付け可能な別個の部品として作られていることを特徴とする請求項１記載の装置。
【請求項３】
容器（２）の透過性のために、容器の壁に少なくとも１つの穴（５，９）が設けられ、この穴が保存液への栄養素の入り込みの前に覆われていることを特徴とする請求項１または２記載の装置。
【請求項４】
容器（２）が円筒形または角柱形であり、容器の外周壁に穴（５，９）が設けられ、この穴のカバー（６）として軸方向に摺動可能なスリーブまたは引き剥がし可能なフィルムが設けられていることを特徴とする請求項３記載の装置。
【請求項５】
カバー（６）が水溶性材料または水中で分解する材料で作られ、カバーの材料が特に時間的に遅れて溶ける、または分解する材料であることを特徴とする請求項４記載の装置。
【請求項６】
容器（２）内に設けられた栄養素がこの栄養素を遅らせて放出する構造体（１０）内に埋め込まれていることを特徴とする請求項１記載の装置。
【請求項７】
栄養素が容器（２）内に設けられ、この容器の壁の少なくとも一部範囲（８）が半透過性であり、かつ少なくとも１つの開口（９）を備え、栄養素溶液が浸透作用によってこの開口を通って保存液に放出可能であることを特徴とする請求項１記載の装置。
【請求項８】
生理学的に心配のない発泡剤、例えばＣＯ2を遊離する媒体が、栄養素に付加的に添加されていることを特徴とする請求項１〜４のいずれか一つに記載の装置。
【請求項９】
容器（２）が可撓性で透過性の材料、例えば紙、フリース、多孔性フィルム等によって形成され、この材料が支持体（１）の周りに取付けられていることを特徴とする請求項１〜８のいずれか一つに記載の装置。
【請求項１０】
支持体（１）が容器（２）の範囲に、溝、平坦部（３３）を備えていることを特徴とする請求項９記載の装置。
【請求項１１】
容器（２）が円筒体として形成され、この円筒の上側端面がピストン（２５）によって形成され、このピストンが支持体（１）に連結され、支持体（１）が特にピストンロッドを形成していることを特徴とする請求項１記載の装置。
【請求項１２】
円筒形、角柱形または円錐台状に形成された容器（２）がその下側端部に、排出開口（２３）を備え、容器（２）の下端が容器の縦軸線に対して斜めに切断されているかあるいはジグザグの形または波線状の形を有することを特徴とする請求項１〜８と１０と１１のいずれか一つに記載の装置。
【請求項１３】
容器がその上側にスナップ式蓋（３２）を備え、この蓋に棒状の支持体（１）が差し込まれているかあるいはこの支持体が蓋の中を縦方向に案内されていることを特徴とする請求項１〜８または１０〜１２のいずれか一つに記載の装置。
【請求項１４】
支持体（１）がその上端に、献呈物担体（３）、挨拶カード、絵図、贈答容器、香水瓶、クラッカーを取付けるための受け部を備えているかあるいはこのような品物の保持部を差し込むためのベースを形成していることを特徴とする請求項１〜１３のいずれか一つに記載の装置。
【発明の詳細な説明】
本発明は、栄養素を保存液に添加する切り花の保存装置に関し、更に詳しくは栄養素のために支持体が設けられ、この支持体から栄養素が保存液に直接入り込むことができる、装置に係る。
従来、切り花は一般的に保存液、通常は水を定期的に交換することにより、保存される。或る種類の花には更に、保存液のための肥料添加物が供給される。この場合、良好な栄養素活用のために、水を補充するだけでよい。栄養素のこのような添加物は取扱いが面倒である。この場合、例えば来客が持ってきた花を贈呈する際、往々にして適当な肥料が供されない。
ドイツ連邦共和国特許出願公開第３８０９１２１号公報によって知られている冒頭に述べた種類の装置は小さな紙ロールである。この紙ロールは保存用化学薬品が滲み込ませてあり、結束された花束に一緒に束ねられているかあるいは差込まれている。この紙ロールは色彩の観点から花束に調和させることができる。その際、公知の装置は、この紙ロールが花束に挿入したときに既に化学薬品を放出するという欠点がある。この場合、切り花の場合一般的であるように、茎が湿っているかまたは濡れているときに、比較的に高い濃度の化学薬品が茎に直接なじむ。この場合、接触範囲において、植物組織が損傷し得る。溶け出した肥料物質は周囲の紙に放出される。この紙が液体を吸い上げるので、肥料物質は保存水に施肥するためにもはや供されない。
米国特許第４１６７８３２号明細書は、殺菌性で表面活性のおよびまたは栄養素を含む作用物質を有する標本作成帯封を開示している。この支持体を花束と一緒に束ねることはできず、花束の周りに巻かれ、上述のように作用物質が湿った花の茎に過早に直接放出される。これは花の茎を損傷させることになる。更に、植物を何度も水につける際に、花束を保持する帯封が外れるので、帯封は保存水の施肥に供されなくなる。
米国特許第３８４２５３９号明細書は花の茎に装着可能な容器に関する。この容器はイオン交換樹脂を備えている。このイオン交換樹脂はガーゼ層によって固有の花の茎から分離されている。このイオン交換樹脂は水を案内する組織の物理的な閉塞を低減し、それによって花を新鮮な状態に保つ働きをする。この場合特に、乾燥または腐敗による、花の茎の下側端部の閉塞が遅らせられる。
本発明の根底をなす課題は、肥料物質が保存液に確実に放出され、この肥料担体が問題なく花束と一緒に束ねることが可能であり、花の茎が湿っていても花の茎が損傷しないように、冒頭に述べた種類の装置を形成することである。
この課題は本発明に従い、
装置が花束と一緒に結束可能であり、この花束と結束され得る装置を保存液につけて初めて栄養素がこの保存液に放出可能であり、茎状、葉柄状、柄状またはステー状に形成された支持体が、特に液状、粉末状または固体の形の栄養素を収容および放出するための容器を備え、この容器の壁の少なくとも一部範囲が、液体、およびこの液体内に溶解された栄養素に関して透過性であることによって解決される。それによって、容器はそれに蓄えられた物質を花束から遠ざけるので、物質の不所望な速すぎる溶解が回避される。このような装置は花束と一緒に直接束ねることができる。この場合、花束を水につけると直ちに、栄養素が保存液に放出される。なぜなら、保存液が外部から容器に侵入し、保存液内にある栄養素が溶けだすからである。従って、それ以上の操作を必要としない完成した大量生産品である。
非常に簡単な製作のために、栄養素容器は茎状、葉柄状、柄状またはステー状の支持体に取付け可能な別個の部品として作ることができる。それによって、統一的な上位部品に、いろいろな栄養素容器を設けることができ、しかも施肥すべき花の種類に依存して栄養素容器を設けることができる。というのは、公知のごとく、異なる種類の花には異なる組成の肥料が望ましいからである。一方では栄養素が不意に落下しないようにするために、他方では液状の調合品を使用できるようにするために、容器の壁に穴が設けられて容器が透過性を有し、この穴が保存液への栄養素の入り込みの前に覆われている。容器が円筒形または角柱形であり、容器の外周壁に穴が設けられ、この穴のカバーとして軸方向に摺動可能なスリーブまたは引き剥がし可能なフィルムが設けられていると、特に簡単である。これは、穴を部分的に開放することを可能にする。しかも、摺動可能なスリーブを一部だけ軸方向に摺動させることによって、あるいは引き剥がし可能なフィルムを、穴を有する外周壁の一部範囲からだけ引き剥がすことにより、穴を部分的に開放することができる。栄養素が固体の栄養素調合品またはこのような栄養素調合品であるときには、カバーは水溶性材料または水中で分解する材料で作られ、カバーの材料は特に時間的に遅れて溶ける、または分解する材料である。これは、容器に保存液が侵入した後で自動的に穴が開放し、それによって花に自動的に施肥し、種々の操作を行う必要がないという利点がある。時間的な遅延は更に、花束を一時的に水につける際に栄養素が放出されず、花束を最終的に入れて置く花瓶内での適当な時間の後で初めて放出されるという利点をもたらす。一方では、栄養素溶液内の栄養素の高すぎる初期濃度を回避し、他方では栄養素が非常に早く添加されないようにするために、容器内に設けられた栄養素がこの栄養素を遅らせて放出する構造体内に埋め込まれている。栄養素を特に制御して保存液に放出するために、栄養素は容器内に設けられ、この容器の壁の少なくとも一部範囲が半透過性であり、かつ開口を備え、栄養素溶液が浸透作用によってこの開口を通って保存液に放出可能である。栄養塩類の濃度に応じて、浸透作用に基づいて、液体が半透過性の壁を通って吸い込まれ、栄養素／液体混合物が既存の開口を通って保存液に入る。これは浸透作用に基づいて高められた容器の内圧によって強制的に制御して行われる。
栄養溶液内への栄養素の確実で均一な入り込みを達成するために、生理学的に心配のない発泡剤、例えばＣＯ2を遊離する媒体が、栄養素に付加的に添加されている。この発泡剤は、栄養素を容器から迅速に追い出し、容器内に均一に分配させるために役立つ。発泡剤は更に、生長を促進する付加的な作用を生じる。容器が可撓性で透過性の材料、例えば紙、フリース、多孔性フィルム等によって形成され、この材料が支持体の周りに取付けられていると特に簡単である。それによって、装置を簡単にかつ低コストで製作可能である。なぜなら、特別に形成された支持体を必要としないからである。支持体からの容器の落下を防ぐために、支持体は容器の範囲に、溝、平坦部等を備えている。
他の実施形では、容器が円筒体として形成され、この円筒体の上側端面がピストンによって形成され、このピストンが支持体に連結され、支持体が特にピストンロッドを形成している。これにより、栄養素の全部または一部を保存液に入り込ませることができる。その際、円筒形または角柱形に形成された容器はその下側端部に、排出開口を備え、容器はその下端がその縦軸線に対して斜めに切断されているかあるいはジグザグの形または波線状の形を有する。それによって、支持体を下方に押し、それによってピストンを容器内で下方に移動させ、容器から栄養素を押し出すことにより、容器を底に支持して空にすることができる。容器と支持棒を互いに無関係に交換できるようにするために、容器はその上側にスナップ式蓋を備え、この蓋に棒状の支持体が指し込まれているかあるいはこの支持体が蓋の中を縦方向に案内されている。
支持体はその上端に、献呈物担体、挨拶カード、絵図、贈答容器、香水瓶、クラッカー等を取付けるための受け部を備えることができる。それによって、支持体は個人的な添え物の担体として他の機能を有する。このような構造体は、上記の二重機能のために構成されても形成されてもいない公知の構造体から推測不可能である。
図には、本発明対象物の若干の実施の形態が示してある。
図１は、上側に献呈書状等が指し込まれている装置の全体構造を概略的に示す図、
図２は、一端に装着された本発明による容器を備えた装置の下側端部の拡大断面図、
図３は、容器の他の実施の形態の、図２と同様な図、
図４は、固体を充填した本発明による容器を示す図、
図５は、茎状、葉柄状、柄状またはステー状に形成された支持体の下側範囲が直に容器として形成されている実施の形態を示す図、
図６は、支持体に固定された容器の他の実施の形態を示す図、
図７は、包装体を備えた図６の実施の形態を示す図、
図８は、容器の他の実施の形態の側面図、
図９は、変形された実施の形態の側面図、
図１０は、栄養素が密封された外側容器に入れられ、ピストンロッドとして作用する支持体によって容器から排出可能である、本発明による装置の他の実施の形態を示す図、
図１１は、液状の栄養素を含む容器が、外側容器の中を摺動可能な支持体棒の端部に設けられた尖端部によって穿孔可能である実施の形態を示す図、
図１２，１３は図１０の外側容器の形状の変形を示す図、
図１４は、栄養素が液体内に達する支持体の部分に固定された可撓性で透過性の容器内に設けられている、他の実施の形態を示す図、
図１５は、図１４の実施の形態の側面図、
図１６は、支持体が容器の内部に達している、図１４の実施の形態の変形を示す図、
図１７は、支持体が接合片を介して容器の側方に固定された、図１６に似た変形を示す図、
図１８は、図１６の実施の形態の他の変形を示す図、
図１９は、支持体における容器の他の固定方法を示す図、
図２０は、支持体上の位置に異なるように形成された容器を示す概略図、
図２１は、矢の端部のような容器構造体を示す図、
図２２は、羽根を２個だけ備えた、図２１と類似の構造を示す図、
図２３は図２１の羽根の取付けを正確に示す図、図２４は図２２の羽根の取付けを正確に示す図、
図２５〜２７は、支持体の下側端部に取付けられた、いろいろな形の容器と協働するスナップ式蓋のいろいろな実施の形態を示す図、
図２８は、支持体が容器の２つのポケットの間を通って案内されている実施の形態を示す図、
図２９は、支持体における容器の固定部を詳細に示す図、
図３０は、容器の底がケーシング内のその保持部から外に押し出される、他の実施の形態の垂直断面図、
図３１は、外側円錐体が少しだけ変更されている、図３０と同様な図、
図３２は、図３１の構造体を部分的に切除して示す斜視図、
図３３は、図３０の実施の形態に似ているが、容器の外側輪郭が異なっている実施の形態を概略的に示す図、
図３４は、保存液が容器の内部に流入できるようにするために、円錐状の容器の下側縁部がぎざぎざになっている他の実施の形態を概略的に示す図、
図３５は、個々の部品を分解して示し、保存媒体を充填した後容器を閉鎖する方向を矢印で示した、円錐状容器の垂直断面図、
図３６は、肥料部材のための保持機構を備えた茎状の支持体の下側部分を示す図、
図３７は、線材または類似の支持体に懸吊された肥料部材の他の実施の形態を示す概略側面図、
図３８は、容器がスペーサによって底に支持されている他の実施の形態の斜視図、
図３９は、保存媒体がピストンによって容器から押し出される実施の形態の横断面図、
図４０は、化学肥料支持体が線材に固定されている、きわめて簡単な実施の形態を示す図、
図４１は、組み立ての前の本発明対象物の個々の部品、すなわち装着体と肥料容器を備えた茎状、葉柄状、柄状またはステー状の支持体を概略的に示す図である。
茎状または葉柄状の支持体１の下端範囲に、容器２が設けられている。この容器には栄養素が充填されている。茎状または葉柄状の支持体の上端には、祝いのカードまたはその他の献呈物担体３を差込み可能である。
その際、容器２は図１〜４に示すように、茎状、葉柄状、柄状またはステー状に形成された支持体１とは別個の部品として形成され、この支持体１の下側端部の中に挿入可能であるかあるいは図５に示すように、支持体１の残りの範囲から分離された支持体の範囲として形成されている。
図１〜４の実施の形態の場合には、容器２は上側部分に、段状のくびれ部４を備えている。このくびれ部の外径は、茎状、葉柄状、柄状またはステー状に形成された支持体１の下側範囲の内径に一致している。それによって、この両部分を摩擦的に嵌込み連結することができる。
図２の容器はその外周範囲に、穴５を備えている。この穴はカバー６によって閉鎖されている。容器が円筒形または角柱形の場合、カバー６は支持体１の軸方向に摺動可能であるかあるいは引き剥がし可能なフィルム（シート）として形成可能である。容器２の下端は栓７によって閉鎖されている。栄養素が水に混合しない媒体に溶けている栄養素溶液の場合、カバー６は水に溶ける材料または水中で分解する材料で作ることができる。
図３の実施の形態は、容器２の開放した下端が半透膜８によって閉鎖され、容器２の壁が貫通するスリット９を備えている点が異なっている。このスリットのエッジは通常の状態では互いに接触し、液体の流出を阻止する。保存液、通常は水が、浸透作用に基づいて、半透膜８を経て容器２の内部に吸い込まれる。それによって、容器内部の圧力が高まり、スリット９が拡がるので、スリットが開放し、栄養素溶液がこのスリットを通って周囲の液に流出することができる。それによって、栄養素溶液を制御して連続的に放出することができる。
図４の実施の形態の場合には、容器が図２の容器と同じように形成されているが、栄養素は固体の支持体１０に吸収されている。この支持体は水中でゆっくりと分解し、その中にある栄養素が保存液に放出される。その際、液体の放出は、容器２の下側開放端部１１を経て行われるかあるいは外周壁にある穴５を経て行われる。
勿論、栄養素用の固体の担体（支持体）は図示していない方法で、茎状、葉柄状、柄状またはステー状に形成された支持体１に直接嵌め込むことができる。それによって、特別な容器２を設ける必要がなくなる。この場合、栄養素の放出の制御は担体の組成によって行われる。
図５の実施の形態の構造は図２の実施の形態の構造と一致しているがしかし、容器２が茎状、葉柄状、柄状またはステー状に形成された支持体１の一体部分として形成されている。従って、容器２は支持体の下側端部を形成している。支持体１の内室は容器２に対して栓１２によってシールされている。このシールは図１〜４の実施の形態の場合には設けられていない。なぜなら、外面にくびれ部４を設けた、容器２の上側端部１３が、支持体１の内部に対するシールを自動的に行っているからである。
図６，７の実施の形態は、支持体１を取り囲むように支持体に取付けられた容器２を示している。容器２は液体を透過し、液体への栄養素の放出を可能にする。容器２は貯蔵または運搬のために、包装体２０、例えば深絞りシートによって包まれている。
図８は、支持体１に取付けられた容器２の一部に多数の孔が穿孔され、残りの部分が穿孔されていない壁２１によって取り囲まれた実施の形態を示している。液体を良好に流入させるために、１つの開口２２が外周壁範囲に設けられている。それによって、下側から栄養素に液体が流入することができる。図９は類似の構造を示している。しかし、穿孔していない容器範囲２１と流入開口が上記と異なるように形成されている。
図１０は容器２内において栄養素が付加的な包装体内に設けられている実施の形態を示している。支持体１が容器２の蓋内のスライドガイドブッシュ２′を通って容器に押し込まれるときに、支持体１の下端に設けられた尖端部１′を包装体に突き刺し可能である。それによって、付加的な包装体の内容物が開口２３を通って花瓶内部に排出される。
図１１では、支持体１が同様に、容器２のブッシュ２′内で縦方向に摺動可能に案内されているがしかし、下側端部にピストン２５を備えている。このピストンによって、容器２内にある栄養素を開口２４から押出し可能である。
図１２，１３は図１０，１１の実施の形態のための外側容器２の他の実施の形態を示している。
図１４，１５はきわめて簡単な実施の形態を示している。この場合、容器２が小さな袋として形成されている。この袋は支持体１の下側端部の周りに配置され、結束糸２″等によって固定されている。
図１６は、容器２が支持体１の下側端部に直接嵌め込まれている、すなわち支持体が小さな袋内に達している実施の形態を示している。
図１７の場合には、小さな袋として形成された容器２が接合片２６によって支持体１に固定され、図１８の場合には容器の２つの小室の間にホース状の部分２７が挿入されている。
図１９の実施の形態では、小さな袋として形成された容器２がクリップ２８によって支持体１に固定されている。
図２０は支持体１の下側部分自体が容器２として形成されている実施の形態を示している。
図２１〜２４は、支持体１がその下側端部に、１つのスリット３０または交叉するように配置された２つのスリットを備え、このスリットに栄養素用容器２が差し込まれているいろいろな実施の形態を示している。その際、容器は２９で示すように小さなカードのように形成されているかあるいは図２４に示すように偏平な袋として形成されている。図２１の場合には、小さなカードが矢の端部のように差し込まれている。その際、支持体１の下側端部１″は花瓶の底に対するスペーサとして作用する。
図２５〜２７の実施の形態の場合には、容器２が蓋３２を備えている。この蓋はスナップ式蓋のように容器２に装着されている。蓋３２の中央にはスリーブ３１が取付けられている。このスリーブには支持体１がぴったり挿入されている。容器２はいろいろな形に形成可能である。しかも、全体が穿孔されていてもよいし（図２５）、下側範囲だけに孔を備えていてもよいし（図２６）、内側に引っ込んだ底を有する円筒状容器として形成していもよい（図２７）。この底は栄養素のための通路（５）を備えている。
図２８は本発明による装置の全体構造を示している。しかも、支持体１に取付けられた容器２と、装着部材３を示している。この装着部材は献呈物担体、挨拶状、絵図、例えば装身具、香水瓶、クラッカーのための贈答容器等である。容器２は紅茶用の注出袋のように形成されている。この場合、容器の壁は多孔性フリースによって形成され、このフリースを通って栄養素が容器の内部から外部に浸出する。
図２９には、他の実施の形態が詳細に示してある。この場合、小さな袋として形成された容器２を確実に保持するために、支持体１は容器２の範囲に平坦部３３を備えている。
図３０〜３４の実施の形態の場合には、容器が上方に向かって縮小している外周壁３３を備えている。この外周壁には、下側から閉鎖板３４が挿入されている。その際、図３５は図３１の容器の組み立てを示している。この場合、茎状、葉柄状、柄状またはステー状に形成された支持体１は容器の尖端部の範囲においてこの容器を通過し、その下側端部を、例えば受け部３５に挿入することによって閉鎖板３４に固定される。図３０〜３４の実施の形態の場合、上側部分に、支持体１のための固有のガイド３６が設けられている。
保存媒体が保存液内に流出できるようにするために、図３０では、容器３３の下側縁部が斜めに形成され、図３１では閉鎖板の下方にある部分に貫通穴３７が設けられている。容器３３を底に載せるときに、保存液がこの貫通穴を通って保存媒体に接触することができる。これに対して、図３３の実施の形態の場合には、容器３３の下側縁部が弓形に形成され、図３４ではぎざぎざになっている。このぎざぎざは同様に、通路３８を有し、この通路は容器への保存液の流入、ひいては保存媒体の洗い流しを可能にする。
図３６では、支持体１の下側端部に、キャップ３９が設けられている。このキャップには化学肥料担体（支持体）４０が挿入可能である。この化学肥料担体は自己支持し、場合によって遅延作用を生じる媒体で覆われている。
図３７は図３６に似た実施の形態であるがしかし、支持体１が細い要素として形成されている。この支持体は化学肥料担体４０を通過し、この化学肥料担体によって取り囲まれている。
図３８は円筒状の容器４１を示している。この容器はその上側端部に、支持体１のためのガイド４２を備えている。支持体はその自由端にピストン４３を備えている。このピストンは円筒状の容器４１内で封隙的に案内可能である。容器４１の円筒状の壁は下側範囲に、開口４４を備えている。この開口から保存媒体をピストン４３によって押し出すことができる。この開口４４は、ピストン４３によって加えられる圧力によって閉鎖部材が破れ、媒体が出ることができるように、一時的に閉鎖可能である。しかし、水に溶けるフィルム等を、閉鎖部材として設けることができる。この閉鎖部材は水に溶け、それによってピストン４３を下方へ押すときに保存媒体が液体内に出る。容器４１はその下側端部に脚４５を備えている。この脚が底に支持されるので、保存媒体全部が底範囲においてのみ液体に供給され、容器内に分配されないことが防止される。これは勿論、ガスを発生する媒体、例えば沸騰散を添加することによって改善される。図４０は図３７に似た構造を示している。この場合、容器４６は小さな紙ロール等によって形成されている。
図３９は円筒状の容器４７を示している。この容器内にはピストン４８が摺動可能に配置されている。ピストンには、茎状、葉柄状、柄状またはステー状に形成された支持体１が支持されている。容器４７はその下側端部が穿孔された壁４９によって閉鎖され、突起５０を介して底に支持されている。それによって、ピストン４８を下方に押すと、容器内に含まれる保存媒体が板３９の孔を通って保存液に供給され、その中で分配される。
図４１は本発明による対象物の全体構造を示す拡大分解図である。この本発明対象物は茎状、葉柄状、柄状またはステー状の支持体１と共に、全体を２で示した化学肥料用容器２と、全体を３で示した装着部材を備えている。容器２は勿論、図示した上述の容器のいずれかと交換可能であり、贈答物担体等としての働きをする装着部材３も同様に交換可能である。
すべての実施の形態において、栄養素の構成物は固体、粉体、小さな粒または液体の形であり、液体でないすべての構成物の場合、生理学的に安心できる発泡剤、例えばＣＯ2を放出する媒体を栄養素に混合することができる。発泡剤は、容器を保存液に浸漬したときに、容器内にガス圧力を発生させる。このガス圧力は栄養素溶液を容器から液体に迅速に追い出し、発泡ガスによって生じる循環に基づいて栄養素を液体内に迅速に分配する。それによって、液体内での局部的な濃度集中が避けられる。というのは、このような集中が植物に害を与えるからである。
要約すると、本発明による装置は、茎状、葉柄状、柄状またはステー状に形成された支持体１を花束と一緒に束ねることができるようにするという目的を有する。この場合、場合によってはカバー６を剥がした後またはずらした後で花を水に浸すと、栄養物が切り花に自動的に供給され、それによってこの花の長期間の保存が保証される。本発明による装置は取扱い操作がきわめて簡単である。なぜなら、いろいろな実施の形態において、花の種類に応じて、適切な栄養素組成を有する容器２が選択されるからである。この場合、栄養素放出の速度または必要量を考慮することができる。この容器は支持体１に装着され、この支持体は個々の花と共に一つの束に束ねられる。特別な機会として、献呈支持体（３）、祝いカード、絵図、贈答容器、香水瓶、クラッカー等を、支持体の上側に差し込むことができる。
【図１】
0003872108.tif 000002
【図２】
0003872108.tif 000003
【図３】
0003872108.tif 000004
【図４】
0003872108.tif 000005
【図５】
0003872108.tif 000006
【図６】
0003872108.tif 000007
【図７】
0003872108.tif 000008
【図８】
0003872108.tif 000009
【図９】
0003872108.tif 000010
【図１０】
0003872108.tif 000011
【図１１】
0003872108.tif 000012
【図１２】
0003872108.tif 000013
【図１３】
0003872108.tif 000014
【図１４】
0003872108.tif 000015
【図１５】
0003872108.tif 000016
【図１６】
0003872108.tif 000017
【図１７】
0003872108.tif 000018
【図１８】
0003872108.tif 000019
【図１９】
0003872108.tif 000020
【図２０】
0003872108.tif 000021
【図２１】
0003872108.tif 000022
【図２２】
0003872108.tif 000023
【図２３】
0003872108.tif 000024
【図２４】
0003872108.tif 000025
【図２５】
0003872108.tif 000026
【図２６】
0003872108.tif 000027
【図２７】
0003872108.tif 000028
【図２８】
0003872108.tif 000029
【図２９】
0003872108.tif 000030
【図３０】
0003872108.tif 000031
【図３１】
0003872108.tif 000032
【図３２】
0003872108.tif 000033
【図３３】
0003872108.tif 000034
【図３４】
0003872108.tif 000035
【図３５】
0003872108.tif 000036
【図３６】
0003872108.tif 000037
【図３７】
0003872108.tif 000038
【図３８】
0003872108.tif 000039
【図３９】
0003872108.tif 000040
【図４０】
0003872108.tif 000041
【図４１】
0003872108.tif 000042